(57)【要約】【課題】通常使用されているボタンは、剛体で形状・大きさが固定されているので、衣類等の生地によってはボタンの掛け外しが困難である。特に、幼児，高齢者や身体の不自由な人にとっては、非常に扱いにくいものである。【解決手段】本発明は、衣類等の一方にはボタンを固着し、他方には該衣類等が重ね合わさる部分に上記ボタンに対向してボタン穴を設け、該ボタン穴に上記ボタンを挿通することにより掛け外しを行なうようにしたボタンであって、該ボタンが、上記衣類等に取着される基板部材と、該基板部材に対し互いに可動自在に取り付けられた表層部材とで構成することにより、ボタンの大きさを変化可能とし、幼児，高齢者や身体の不自由な人でも大きな力を加えることなく、ボタンの掛け外しが容易に行えるようにしたボタンである。【選択図】図１
2006311877.tif 000002
【特許請求の範囲】
【請求項１】
衣類等の一方にはボタンを固着し、他方には該衣類等が重ね合わさる部分に上記ボタンに対向してボタン穴を設け、該ボタン穴に上記ボタンを挿通することにより掛け外しを行なうようにしたボタンであって、該ボタンが、上記衣類等に取着される基板部材と、該基板部材に対し互いに可動自在に取り付けられた表層部材とから成るボタン。
【請求項２】
上記基板部材と表層部材は互いに回動自在に取り付けたことを特徴とする請求項１記載のボタン。
【請求項３】
上記基板部材と表層部材は互いに摺動自在に取り付けたことを特徴とするボタン請求項１記載のボタン。
【発明の詳細な説明】
【技術分野】
【０００１】
本発明は、衣類などに使用するボタンに関するもので、掛け外しの容易なボタンに係るものであり、特に幼児，高齢者や身体の不自由な人でも容易に掛け外すことができるボタンに係るものである。
【背景技術】
【０００２】
洋服，セータ，カーディガン，パジャマなどの衣類に取り付けられるボタンは、衣類の一方にはボタンを固着し、他方には該衣類が重ね合わさる部分に上記ボタンに対向して、該ボタンの直径よりやや大きなボタン穴を設け、このボタン穴に上記ボタンを挿通することにより掛け外しが行われる。通常、この種のボタンは、貝殻，木材，合成樹脂や金属などで作製されている。
【０００３】
ところが、衣類が綿，絹，ポリエステルのような柔らかく滑りやすい生地であれば、比較的ボタンの掛け外しが容易であるが、衣類がデニムなどの硬くて分厚い生地で生成されている場合には、掛け外しが困難であり、手間を要する。特に、幼児，高齢者や身体の不自由な人にとっては、生地の厚い薄いにかかわらず、衣服の着脱の際、ボタンをボタン穴に挿通したり外すことは容易でなく、衣服の着脱が極めて不便に感じるものである。
また、通常使用されているボタンは、いずれも貝殻，木材，合成樹脂や金属などで作製された剛体で、しかも形状・大きさが固定的であるのが一般的である。そして、ボタンとボタン穴の直径を非常に近接して作製することにより、掛けたボタンが簡単に外れないようにしている。そのために、ボタンの掛け外しがより困難となっているのである。
【０００４】
上記のとおり、ボタンをボタン穴に通すことが困難であることから、ボタンに代えて凸部と凹部とからなるホックを使用したものがある。しかし、このような係止方法であっても両手で操作することが必要で、身体の不自由な人にとっては難しい操作である点に変わりない。
これに対し、次のような発明が提案されている。
例えば、特開平８−１３２１１号公報に記載されているように、医療用あるいは老人用衣服として、軽い肉薄のプラスチック磁石を使用して、着脱の容易な、肌当たりの良い衣服が提供されている。
また、特開平１１−１６９２０８号公報に記載されているように、上記と同様に磁石を利用してこの磁力により、幼児，高齢者や身体の不自由な人でも、片手で簡単かつ容易に着脱できるボタンが提案されている。
【０００５】
【特許文献１】特開平８−１３２１１号公報（同公報図１および図２参照）
【特許文献２】特開平１１−１６９２０８号公報（同公報図１参照）
【発明の開示】
【発明が解決しようとする課題】
【０００６】
上記したように、通常使用されているボタンは、剛体で形状・大きさが固定されているので、ボタンの掛け外しがより困難である。そのため、このようなボタンであると、上記のとおり、幼児，高齢者や身体の不自由な人にとっては、非常に扱いにくいものとなっているのである。
また、前記の磁石を利用したボタンは、いずれも磁力によって吸着することにより、あるいはこの磁力に抗して引き離すことによりボタンを掛け外すものである。この場合、衣類の一部がテーブルや机の端などに引っかかるなど予期しない事態により簡単に外れてしまうことがある。
【０００７】
また、磁力に抗して引き離すことによりボタンの掛け外しができるので、該ボタンを持って外すことなく、衣類の端を持って強引に引き離すことによりボタンを外すことがある。この場合、該ボタンの取着部の生地を傷めるという問題がある。この問題については、ホック式のものであっても同様である。
そこで、本発明は、上記種々の問題を解決すべくなされたもので、ボタンの大きさを変化させることにより、幼児，高齢者や身体の不自由な人でも大きな力を加えることなく、ボタンの掛け外しが容易に行えるボタンを提供することを目的とするものである。
【課題を解決するための手段】
【０００８】
本発明は、衣類等の一方にはボタンを固着し、他方には該衣類等が重ね合わさる部分に上記ボタンに対向してボタン穴を設け、該ボタン穴に上記ボタンを挿通することにより掛け外しを行なうようにしたボタンであって、該ボタンが、上記衣類等に取着される基板部材と、該基板部材に対し互いに可動自在に取り付けられた表層部材とから成るボタンである。
また、本発明は、上記基板部材と表層部材は互いに回動自在に取り付けたことを特徴とするボタンである。
更に、本発明は、上記基板部材と表層部材は互いに摺動自在に取り付けたことを特徴とするボタンである。
【発明の効果】
【０００９】
上記のように構成したことにより、簡単な操作でボタン自体の形状・大きさが変形するので、該ボタンをボタン穴に挿通したり外したりすることが容易になり、幼児，高齢者や身体の不自由な人でもボタンの掛け外しが容易に出来るようになった。
また、ボタンの大きさの変形を片手で操作することができるので、片手が不自由な人であっても、他人の手をわずらわすことなく、自分自身の手でボタンの掛け外しが容易にできるようになった。
また、介護する場合にあっては、介護者は片方の手で被介護者を支えながら、もう一方の手でボタンの掛け外しを簡単に行えるので、着替え等を容易に行えることができ、肉体的な負担を著しく軽減することができるようになった。
また、ボタンを伸長して大きくした状態では、ボタンの長径はボタン穴より大きいので、テーブルに引っ掛かり、多少の力が加わっても、ベース材がボタン穴を簡単には抜けることがなく、ボタンの大きさを小さくして、正しくボタンをボタン穴より外さなければ、ボタンが外れることはない。従って、強引に引き離してボタンを外すことにより、ボタン取着部の生地を傷めるということはない。
【発明を実施するための最良の形態】
【００１０】
以下、本発明によるボタンの最良の実施形態を図面に基づいて詳細に説明する。
図１は、本発明によるボタンの最良の形態を示す図で、図１Ａは平面図であり、図１Ｂは側面図である。なお、同図中に、洋服，セータ，カーディガン，パジャマなどの衣類等に本発明によるボタンを取着した状態を記載すると、図面が複雑になるので、衣類等の図示は省略する。以下の図面についても同様である。
同図において、１は本発明によるボタンで、該ボタン１は、基板部材２と表層部材３とで構成されており、基板部材２は上記衣類等に取着されるとともに、これら基板部材２と表層部材３とは回動軸４で回動自在に連結されている。
【００１１】
上記基板部材２は、本実施例の場合、長円形に形成されており、該長円形の中心よりやや偏心した位置に洋服，セータ，カーディガン，パジャマなどの衣類等に縫い付けて取着するための小穴５が複数形成されている。表層部材３は、回動軸４を介して基板部材２に回動自在に連結されている。
同図中６は、洋服，セータ，カーディガン，パジャマなどの衣類等に形成されたボタン穴である。
【００１２】
上記ボタン１を掛ける場合、表層部材３を図１中一点鎖線で示すように該ボタン１の大きさを小さくした状態で、衣類に形成されたボタン穴６に挿通し、ボタン１を挿通後、該表層部材３を回動軸４を中心として実線で示す位置まで同図中矢印で示すように回動して該ボタン１の大きさを大きくする。この状態では、ボタン１が図１Ｂに示すように、Ｌ１からＬ２に大きく変形するため、ボタン１はボタン穴６から簡単に外れることはない。
ボタン１を外す場合は、上記と逆に同図中矢印で示すように、表層部材３を回動軸４を中心として一点鎖線で示す位置に回動し、ボタン１の大きさを小さくすれば、ボタン穴６から容易に外すことができる。
なお、図示していないが、基板部材２と表層部材３にはそれぞれ凹凸部を形成し、お互いに係合するようにし、表層部材３を回動してボタン１を大きくした際、あるいは小さくした際に該表層部材３を基板部材２に係合するようにしておくことが望ましい。
【実施例１】
【００１３】
図２は、本発明によるボタン１の他の実施例を示す図で、図２Ａは平面図であり、図２Ｂは側面図である。同図中前記実施例と同じ符号を付したものについては、実質的に同じであり、詳細な説明を省略する。
同図において、７は回動軸で、該回動軸７は前記実施例が垂直方向に構成したのに対し、本実施例では水平方向に構成したものである。
前記実施例と同様にして、ボタン１を掛ける場合、表層部材３が図２中一点鎖線で示すような位置で衣類に形成されたボタン穴６に挿通し、ボタン１を挿通後、該表層部材３を回動軸７を中心として、実線で示す位置まで同図中矢印で示すように回動して該ボタン１の大きさを大きくする。この状態では、ボタン１が図２Ｂに示すように、Ｌ１からＬ２に大きく変形するため、ボタン１はボタン穴６から外れることはない。
ボタン１を外す場合は、上記と逆に同図中矢印で示すように、表層部材３を回動軸７を中心として一点鎖線で示す位置に回動し、ボタン１の大きさを小さくすれば、ボタン穴６から容易に外すことができる。
なお、図示していないが、前記実施例と同様に基板部材２と表層部材３にはそれぞれ凹凸部を形成し、お互いに係合するようにし、表層部材３を回動してボタン１を大きくした際、あるいは小さくした際に該表層部材３を基板部材２に係合するようにしておくことが望ましい。
【実施例２】
【００１４】
図３は、本発明によるボタン１の他の実施例を示す図で、図３Ａは平面図であり、図３Ｂは側面図である。同図中前記実施例と同じ符号を付したものについては、実質的に同じであり、詳細な説明を省略する。
本実施例は、基盤部材２と表層部材３とが互いに摺動するように組み合わせ取り付けたものである。基盤部材２と表層部材３には、互いに嵌合する係合部８を形成し、これらを嵌め合わせて同図中矢印で示すように摺動し、ボタン１の大きさを変化させるようにしたものである。
【００１５】
図３Ａ中一点鎖線で示す位置で、ボタン１をボタン穴６に挿通し、ボタン１を挿通後、同図中矢印で示すように表層部材３を摺動することにより、該ボタン１の大きさを大きくする。この状態では、実線で示すようにボタン１はＬ１からＬ２に大きく変形するため、該ボタン１はボタン穴６から外れることはない。ボタン１を外す場合には、上記と逆に同図中矢印で示すように表層部材３を一点鎖線で示す位置に摺動し、ボタン１を小さくすれば、ボタン穴６から容易に外すことができる。
なお、図示していないが、前記実施例と同様に基板部材２と表層部材３にはそれぞれ凹凸部を形成し、お互いに係合するようにし、表層部材３を摺動してボタン１を大きくした際、あるいは小さくした際に該表層部材３を基板部材２に係合するようにしておくことが望ましい。
【００１６】
上記実施例において、ボタン１は長円形に作製され、ボタン穴６は該ボタン１の中心より偏心した位置に形成されているが、その長径Ｒ１は上記ボタン穴６の長さより大きく、短径Ｒ２はボタン穴６の長さの略半分であることが望ましい。このように形成することにより、ボタン１は折り畳んだ状態で容易にボタン穴６より外すことができるとともに、伸長した状態では、ボタン１はボタン穴６より外せにくくなり、不用意に外れるということはない。
【００１７】
また、本実施例では、長円形の形状のものを示したが、これに限定するものではなく、技術的思想が同じであれば、長方形，菱形，ラグビーボール形，涙形等いずれであっても良いことは言うまでもない。
なお、上記実施例では、衣類に取着するボタン１について説明したが、これに限定するものではなく、カーテンを束ねたり、布団のカバーを止着したりするなど、ボタンを使用して複数種のものを互いに止める場合にも利用することができる。
【産業上の利用可能性】
【００１８】
特になし。
【図面の簡単な説明】
【００１９】
【図１】本発明によるボタンの最良の形態を示す図で、図１Ａは平面図であり、図１Ｂは側面図である。
【図２】本発明によるボタンの他の実施例を示す図で、図２Ａは平面図であり、図２Ｂは側面図である。
【図３】本発明によるボタンの他の実施例を示す図で、図３Ａは平面図であり、図３Ｂは側面図である。
【符号の説明】
【００２０】
１          ボタン
２          基板部材
３          表層部材
４，７      回動軸
６          ボタン穴
８          係合部
【図１】
2006311877.tif 000003
【図２】
2006311877.tif 000004
【図３】
2006311877.tif 000005